(57)【要約】【課題】複数個を用いて配管路を敷設したときに、配管路内が部分的に滞留することなく、各水栓に常に新しい水や湯を供給することができる給水栓接続用継手及びそれを用いた配管路を提供する。【解決手段】継手本体１１１内にＵ字状に屈曲する通水路１１１ａが形成され、該継手本体１１１の一側方に前記通水路の両端にそれぞれ連通する２個の配管接続部１１２，１１３が並列的に設けられ、該継手本体１１１に前記通水路１１１ａの中央部に連通する給水栓接続部１１４が立設されている給水栓接続用継手１１である。【選択図】　図１
2004124431.tif 000002
【特許請求の範囲】
【請求項１】
継手本体内にＵ字状に屈曲する通水路が形成され、該継手本体の一側方に前記通水路の両端にそれぞれ連通する２個の配管接続部が並列的に設けられ、該継手本体に前記通水路の中央部に連通する給水栓接続部が立設されていることを特徴とする給水栓接続用継手。
【請求項２】
請求項１に記載の給水栓接続用継手の複数個が用いられた配管路であって、上流側の給水栓接続用継手の一方の配管接続部に給水配管が接続され、該上流側の給水栓接続用継手の他方の配管接続部に、連結用管を介して、下流側の給水栓接続用継手の一方の配管接続部が連結配管される如くして、順次連結配管されていて、前記複数の給水栓接続用継手の給水栓接続部に直列的に給水または給湯することができるようになされていることを特徴とする配管路。
【発明の詳細な説明】
【０００１】
【発明の属する技術分野】
本発明は、給水栓接続用継手及びそれを用いた配管路に関するものである。
【０００２】
【従来の技術】
従来、給水栓接続用継手としては、給水栓エルボ、給水栓ソケット等がある。、これらはいずれも、図４に示す給水栓エルボＡのように、配管接続部ａ１と給水栓接続部ａ２が１個ずつ設けられたものであった。
【０００３】
そして、図４に示す給水栓エルボＡの４個を用いて配管路を形成するには、分岐工法の場合には、例えば、図５に示すように、中途に循環装置Ｄが組み込まれた循環配管路に直列的に接続された４個のチーズＢの分岐管ｂに、それぞれ、引き込み管Ｃを介して各給水栓エルボＡの配管接続部ａ１を接続し、各給水栓エルボＡの給水栓接続部ａ２に給水栓を接続するか、または、図６に示すように、配管路に直列的に接続された３個のチーズＢの分岐管ｂに、それぞれ、引き込み管Ｃを介して各給水栓エルボＡの配管接続部ａ１し、最も下流のチーズＢの下流側の配管接続部に引き込み管Ｃを介して給水栓エルボＡの配管接続部ａ１を接続し、各給水栓エルボＡの給水栓接続部ａ２に給水栓を接続していた。
【０００４】
また、ヘッダー工法の場合には、特に図示しないが、上記の分岐工法の場合に準じて、給水管路に接続されたヘッダーの各分岐部に、各給水栓エルボの配管接続部し、給水栓接続部に給水栓を接続していた。
【０００５】
しかしながら、従来の配管接続部ａ１と給水栓接続部ａ２が１個ずつ設けられた給水栓エルボＡ等を用いて配管路を形成した場合には、以下のような問題点がある。
▲１▼　各引き込み管Ｃや分岐部内の水や湯は、その先端に接続された給水栓エルボＡの給水栓を開けない限り水流は発生しない。従って、ヒーター部分を兼備した配管内の湯を常に循環させることにより配管内の湯の温度を一定に保つ循環式即湯システム（例えば、特許文献１参照）等においても、引き込み管Ｃ内部分は滞留水となるため、温度は一定に保たれず、温度が下がってしまうという問題が発生する。
【０００６】
▲２▼　屋外水栓等で常に使用しない水栓に繋がる引き込み管Ｃ内部分の水は、通常滞留した状態となるため死水となり、時間の経過とともに残留塩素濃度が低下し、雑菌が繁殖する等衛生面で問題が発生する。また、昨今の居室へ給水するために居室の壁等が設置する給水コンセント等も、使用頻度が低いため同じ問題が発生する。
【０００７】
【特許文献１】
特開平４−２６０７３１号公報（第２─３頁、図１）
【０００８】
【発明が解決しようとする課題】
本発明は、上記のような従来の問題点を解消し、複数個を用いて配管路を敷設したときに、配管路内が部分的に滞留することなく、各水栓に常に新しい水や湯を供給することができる給水栓接続用継手及びそれを用いた配管路を提供することを目的としてなされたものである。
【０００９】
【課題を解決するための手段】
本願の請求項１に記載の発明は、継手本体内にＵ字状に屈曲する通水路が形成され、該継手本体の一側方に前記通水路の両端にそれぞれ連通する２個の配管接続部が並列的に設けられ、該継手本体に前記通水路の中央部に連通する給水栓接続部が立設されている給水栓接続用継手である。
【００１０】
本願の請求項２に記載の発明は、請求項１に記載の給水栓接続用継手の複数個が用いられた配管路であって、上流側の給水栓接続用継手の一方の配管接続部に給水配管が接続され、該上流側の給水栓接続用継手の他方の配管接続部に、連結用管を介して、下流側の給水栓接続用継手の一方の配管接続部が連結配管される如くして、順次連結配管されていて、前記複数の給水栓接続用継手の給水栓接続部に直列的に給水または給湯することができるようになされている配管路である。
【００１１】
【作用】
本発明の給水栓接続用継手は、継手本体内にＵ字状に屈曲する通水路が形成され、該継手本体の一側方に前記通水路の両端にそれぞれ連通する２個の配管接続部が並列的に設けられ、該継手本体に前記通水路の中央部に連通する給水栓接続部が立設されていることにより、複数個を用いて、配管路内が部分的に滞留することなく、各水栓に常に新しい水や湯を供給する配管路を敷設することができる。
【００１２】
本発明の配管路は、上流側の給水栓接続用継手の一方の配管接続部に給水配管が接続され、該上流側の給水栓接続用継手の他方の配管接続部に、連結用管を介して、下流側の給水栓接続用継手の一方の配管接続部が連結配管される如くして、順次連結配管されていて、前記複数の給水栓接続用継手の給水栓接続部に直列的に給水または給湯することができるようになされていることにより、ヒーター部分を兼備した循環式給湯システム等として使用したとき、滞留する管路がなくなるため、配管路内全ての湯の温度は一定に保たれ、温度が下がってしまうことがなく、いずれの水栓を開いた場合でも即座に湯が吐出される。また、循環配管路でなくても、下流側の給水栓接続用継手に使用頻度の高い給水栓を接続するようにして使用すれば、部分的に滞留することなく、各水栓に常に新しい水や湯を供給することができ、時間の経過とともに残留塩素が低下して雑菌が繁茂する等の衛生面での問題が発生する部分がなくなる。
【００１３】
【発明の実施の形態】
以下、本発明の実施の形態を図面を参照して説明する。
図１は、本発明の給水栓接続用継手の一例の説明図であり、（ａ）はその平面図、（ｂ）はその正面図、（ｃ）は（ｂ）におけるＩ−Ｉ線に沿う断面図である。
図１に示すように、この給水栓接続用継手１１は、中枢をなす継手本体１１１内に、Ｕ字状に屈曲する通水路１１１ａが形成されている。
【００１４】
継手本体１１１の一側方には、通水路１１１ａの両端にそれぞれ連通するように２個の配管接続部１１２，１１３が並列的に突設されている。
一方の配管接続部１１２は、内筒部１１２ａと外筒部１１２ｂとからなる差込み式となっており、接続すべき配管の一端部を差し込むだけで、止水状態にて嵌着できるようになっている。１１２ｃは内筒部１１２ａの外面に周方向に沿って設けられた凹溝に装着されたＯリングである。１１２ｄは抜け止めリングである。１１２ｅは袋ナットである。
他方の配管接続部１１３も、一方の配管接続部１１２と同様の構造の差込み式となっている。
【００１５】
継手本体１１１には、通水路１１１ａの中央部に連通し、２個の配管接続部１１２，１１３の突出方向と９０°をなすように給水栓接続部１１４が立設されている。給水栓接続部１１４は、上方に開口する筒状とされており、その内部に給水栓の基端部を螺合するための雌ねじが設けられているものからなる。
継手本体１１１の下部には、壁内に４箇所にてビス固定することができるような座部１１５が備えられている。
【００１６】
図２は、図１に示す給水栓接続用継手の４個を用いた本発明の配管路の一例を説明する平面図である。
この配管路２は、中途に循環装置２１が組み込まれていて、循環式となっている。
最も上流側の給水栓接続用継手１１の一方の配管接続部１１２に循環装置２１に連結された給水配管２２が接続され、その給水栓接続用継手１１の他方の配管接続部１１３に、連結用管２３を介して、その下流側の給水栓接続用継手１２の一方の配管接続部１２２が連結配管されている。
【００１７】
給水栓接続用継手１２の他方の配管接続部１２３に、連結用管２４を介して、その下流側の給水栓接続用継手１３の一方の配管接続部１３２が連結配管されている。
給水栓接続用継手１３の他方の配管接続部１３３に、連結用管２５を介して、最も下流側の給水栓接続用継手１４の一方の配管接続部１４２が連結配管されている。
最も下流の給水栓接続用継手１４の他方の配管接続部１４３は、連結用管２６を介して循環装置２１に連結されている。
【００１８】
この配管路２では、４個の給水栓接続用継手１１，１２，１３，１４の給水栓接続部１１４，１２４，１３４，１４４に直列的に給水または給湯することができるように連結配管されている。
【００１９】
従って、例えば、この配管路２をヒーター部分を兼備した循環式給湯システム等として使用したとき、滞留する管路がなくなるため、配管路内全ての湯の温度は一定に保たれ、温度が下がってしまうことがなく、いずれの水栓を開いた場合でも即座に湯が吐出される。
【００２０】
図３は、本発明の図１に示す給水栓接続用継手の３個と、従来の給水栓エルボを用いた、本発明の配管路の別の例を説明する平面図である。
この配管路３は、最も上流側の給水栓接続用継手１５の一方の配管接続部１５２に給水配管３１が接続され、その給水栓接続用継手１５の他方の配管接続部１５３に、連結用管３２を介して、その下流側の給水栓接続用継手１６の一方の配管接続部１６２が連結配管されている。
【００２１】
給水栓接続用継手１６の他方の配管接続部１６３に、連結用管３３を介して、その下流側の給水栓接続用継手１７の一方の配管接続部１７２が連結配管されている。給水栓接続用継手１７の他方の配管接続部１７３に連結用管３４を介して、最も下流側の給水栓エルボＡの配管接続部Ａ１が連結配管されている。
【００２２】
この配管路３は、３個の給水栓接続用継手１５，１６，１７の給水栓接続部１５４，１６４，１７４に直列的に給水または給湯することができるように連結配管されいる。
【００２３】
従って、例えば、この配管路３を下流側の給水栓接続用継手または給水栓エルボＡに、トイレ、洗面、洗濯、炊事場等の使用頻度の高い給水栓を接続するようにして使用すれば、部分的に滞留することなく、各水栓に常に新しい水や湯を供給することができ、時間の経過とともに残留塩素が低下して雑菌が繁茂する等の衛生面での問題が発生する部分がなくなる。
【００２４】
【発明の効果】
本発明の給水栓接続用継手及び配管路は、上記の構成とされているので、複数個の給水栓接続用継手を用いて配管路を敷設して、配管路内が部分的に滞留することなく、各水栓に常に新しい水や湯を供給することができる。
【図面の簡単な説明】
【図１】本発明の給水栓接続用継手の一例の説明図であり、（ａ）はその平面図、（ｂ）はその正面図、（ｃ）は（ｂ）におてるＩ−Ｉ線に沿う断面図である。
【図２】本発明の配管路の一例を説明する平面図である。
【図３】本発明の配管路の別の例を説明する平面図である。
【図４】従来の給水栓エルボを説明する平面図である。
【図５】従来の配管路の一例を説明する平面図である。
【図６】従来の配管路の別の例を説明する平面図である。
【符号の説明】
２　配管路
１１，１２，１３，１４，１５，１６，１７　給水栓接続用継手
１１１，１２１，１３１，１４１，１５１，１５１，１７１　継手本体
１１２，１１３，１２２，１２３，１３２，１３３，１４２，１４３，１５２，１５３，１６２，１６３，１７２，１７３　配管接続部
１１４，１２４，１３４，１４４，１５４，１６３，１７４　給水栓接続部
【図１】
2004124431.tif 000003
【図２】
2004124431.tif 000004
【図３】
2004124431.tif 000005
【図４】
2004124431.tif 000006
【図５】
2004124431.tif 000007
【図６】
2004124431.tif 000008